(57)【要約】      （修正有）【課題】様々な食べ物を掴み易くすると同時に、一対の箸の各々を離すと箸の先端側へ食べ物が移動し易いように凹凸部を形成した箸を提供する。【解決手段】先端側を細くした箸１の表面に凹部２及び凸部３が順次繰り返されるように形成したもので、箸の長手方向に対して、該凹部２となる溝の底位置から先端方向となる下方側に対しては緩やかな傾斜面により凸部３を形成し、把持部側となる上方側に対しては急な傾斜面となるように凸部３を形成している。上記凹凸部２、３により食べ物を掴んだときに該食べ物に箸が食い込んで強固に掴むことができると同時に、一対の箸の各々を離したときには先端側へ移動し易いようにすることができる。【選択図】図１
0003156376.tif 000002
【実用新案登録請求の範囲】
【請求項１】
箸の先端側に凹凸部を形成すると同時に、該凹凸部の形状は掴んだ食べ物を下方側へは移動し易く、上方側へは移動しにくい形状としてなることを特徴とする箸。
【請求項２】
凹部となる溝の表面形状は、箸の長手方向に対して、溝の底位置から先端方向に対しては緩やかな傾斜面とし、把持部側に対しては急な傾斜面としてなることを特徴とする請求項１記載の箸。
【請求項３】
凹部となる溝の形状は、箸の周囲を斜め方向に傾斜する傾斜溝としてなることを特徴とする請求項１記載の箸。
【請求項４】
凹部となる溝の形状は、箸の軸方向に対して直角方向に少なくとも２回は捩じることによって生じた斜め方向に傾斜する傾斜溝としてなることを特徴とする請求項１記載の箸。
【考案の詳細な説明】
【技術分野】
【０００１】
本考案は、箸により食べ物を掴むとき、当該食べ物を掴み易い形状とすると同時に、掴んだ食べ物が上方へ移動することを阻止し、下方への移動を容易とした箸に関するものである。
【背景技術】
【０００２】
箸は、竹・柳・杉・檜・萩・栗・桑・槐・紫檀・黒檀等の木材の他、金・銀・銅・鉄・アルミニウム等の金属、象牙等の動物の骨角、或いは合成樹脂等の様々な材料によって形成されている。長さは、その使用者や使用目的により適宜なものが採用されているが、通常２１ｃｍ（７寸）から３６ｃｍ（１尺２寸）等の各種のものが使用されている。また、その形状は、丸形・角形・太形・細形・先細形・平形等の様々なものがあるが、それらのものは先端側へ向かって漸次細くなる形状のもので、食べ物を掴んだときの滑り止め機能と一対の箸の各々を離した時の食べ物の箸先端側への移動し易さとを兼用したことを考慮したものではなかった。
【先行技術文献】
【特許文献】
【０００３】
【特許文献１】実用新案登録第３１０７８０９号公報
【特許文献２】特開平６−９０８４５号公報
【考案の概要】
【考案が解決しようとする課題】
【０００４】
既存の箸は、日本国ばかりでなく、韓国或いは中国においても広く使用されており、その形状はほとんど同じようなものとなっている。しかし、近年、外国において自国以外の様々な食ベ物を口にする機会が増えている。それに伴い、これからの箸は、伝統的な形状を保持しつつ、食べ物の種類や箸の材質等により従来の形状とは異なるものが求められている。
【０００５】
また、上記食ベ物の種類にも様々なものがあり、例えば、軽い、重い、軟らかい、硬い、薄い、厚い、小さい、大きい、長い、短い等に分けることができるが、食べ物の種類によっては掴みにくいものも多かった。
【０００６】
更に、上記した金属や合成樹脂等の材料よりなる箸にあっては食べ物が滑り易いものが多かった。
【０００７】
また、上記文献１のように、ダイヤカットの筋により凹凸部を設けたものは単なる滑り止めを形成するものであるし、文献２の先端部の突起も上記同様、単なる滑り止め加工をしたものにすぎなかった。
【０００８】
本考案は、上記欠点を解決したもので、様々な食べ物を掴み易くすると同時に、一対の箸の各々を離すと箸の先端側へ食べ物が移動し易いように凹凸部を形成したものである。
【課題を解決するための手段】
【０００９】
本考案は、箸の先端側に凹凸部を形成すると同時に、該凹凸部の形状は掴んだ食べ物を下方側へは移動し易く、上方側へは移動しにくい形状としてなる箸を特徴とする。
【００１０】
また、上記凹部となる溝の表面形状は、箸の長手方向に対して、溝の底位置から先端方向に対しては緩やかな傾斜面とし、把持部側に対しては急な傾斜面としてなる箸を特徴とする。
【００１１】
更に、上記凹部となる溝の形状は、箸の周囲を斜め方向に傾斜する傾斜溝としてなる箸を特徴とする。
【００１２】
また、上記凹部となる溝の形状は、箸の軸方向に対して直角方向に少なくとも２回は捩じることによって生じた斜め方向に傾斜する傾斜溝としてなる箸を特徴とする。
【考案の効果】
【００１３】
本考案の箸は、その先端側に特定の形状となる凹凸部を形成することにより、食べ物の掴みが強固にでき、落下することを防止することが可能となった。
【００１４】
また、上記凹凸部により掴んだ食ベ物を食するときは一対の箸を開放することになるが、一対の箸の各々が離れたときは該食ベ物は口側となる該箸の先端側へは移動し易く、把持部側へは移動しにくく、食することがスムーズに行えることが可能となった。
【図面の簡単な説明】
【００１５】
【図１】本考案の箸の側面図。
【図２】本考案の箸の他の実施例の側面図。
【図３】本考案の箸の他の実施例の側面図。
【考案を実施するための形態】
【００１６】
以下、図面を参考に本考案の実施例を説明する。
【実施例１】
【００１７】
実施例１は、図１に示すように、先端側を細くした箸１の表面に凹部２及び凸部３が順次繰り返されるように形成したもので、箸の長手方向に対して、該凹部２となる溝の底位置から先端方向となる下方側に対しては緩やかな傾斜面により凸部３を形成し、把持部側となる上方側に対しては急な傾斜面となるように凸部３を形成している。上記凹凸部２、３により食べ物を掴んだときに該食べ物に箸が食い込んで強固に掴むことができると同時に、一対の箸の各々を離したときには先端側へ移動し易いようにすることができる。
【実施例２】
【００１８】
実施例２は、図２に示すように、先端側を細くした箸４に斜め方向となる傾斜溝５を形成したものである。傾斜溝５が形成されることにより食ベ物を掴み易くし、且つ、斜めに傾斜面が形成されているので一対の箸の各々を離したときには食ベ物は上方側へは移動しにくく、下方側へは移動し易くなる。箸４の周囲を取り巻く上記傾斜溝５は、螺旋形状であってもよい。
【実施例３】
【００１９】
実施例３は、図３に示すように、先端側を細くした箸６の先端側を該箸６の軸方向に対して直角方向に少なくとも２回は捩じった形状のものである。該箸６を捩じることにより上記実施例２と同様、箸６の表面側に斜め方向となる傾斜溝７が形成されることになる。また、特に上方部側の捩り部８は食べ物を掴むときには下方側へ落ちないようにすることができ、下方側の捩り部９は把持する手指側に移動しないようにすることができる。上記傾斜溝７が形成されることにより食ベ物は上方側へは移動しにくく、一対の箸の各々を離したときにはその先端側となる下方側へは移動し易くなる。
【符号の説明】
【００２０】
１、４、６    箸
２            凹部
３            凸部
５、７        傾斜溝
８、９        捩り部
【図１】
0003156376.tif 000003
【図２】
0003156376.tif 000004
【図３】
0003156376.tif 000005